(57)【特許請求の範囲】
【請求項１】
機体と、
この機体に装着された腕状の作業装置と、
この作業装置の先端に装着された作業用アタッチメントと、
機体に設けられた左右の足のつま先およびかかとによりそれぞれ操作可能な左足用のアタッチメント操作ペダルおよび右足用のアタッチメント操作ペダルと、
これらのアタッチメント操作ペダルにより操作される左足用のパイロット弁および右足用のパイロット弁と、
これらのパイロット弁によりパイロット操作され作業用アタッチメントの動作を制御するコントロール弁と、
左右のアタッチメント操作ペダルのつま先操作およびかかと操作を不可能とする係止状態、つま先操作を可能とし、かかと操作を不可能とする半係止状態、つま先操作およびかかと操作を可能とする係止解除状態を選択可能な係止機構とを具備し、
一方のアタッチメント操作ペダルのつま先操作により一方のパイロット弁からパイロット圧が出力される一方のつま先操作ポートが、コントロール弁の一端側に連通され、
一方のアタッチメント操作ペダルのかかと操作により一方のパイロット弁からパイロット圧が出力される一方のかかと操作ポートと他方のアタッチメント操作ペダルのつま先操作により他方のパイロット弁からパイロット圧が出力される他方のつま先操作ポートとがシャトル弁の２つの入口ポートにそれぞれ連通され、
このシャトル弁の出口ポートが、コントロール弁の他端側に連通された
ことを特徴とする作業機械。
【請求項２】
機体と、
この機体に装着された腕状の作業装置と、
この作業装置の先端に装着された作業用アタッチメントと、
機体に設けられた左右の足のつま先およびかかとによりそれぞれ操作可能な左足用のアタッチメント操作ペダルおよび右足用のアタッチメント操作ペダルと、
これらのアタッチメント操作ペダルにより操作される左足用のパイロット弁および右足用のパイロット弁と、
これらのパイロット弁によりパイロット操作され作業用アタッチメントの動作を制御するコントロール弁と、
左右のアタッチメント操作ペダルのつま先操作およびかかと操作を不可能とする係止状態、つま先操作を可能とし、かかと操作を不可能とする半係止状態、つま先操作およびかかと操作を可能とする係止解除状態を選択可能な係止機構とを具備し、
一方のアタッチメント操作ペダルのつま先操作により一方のパイロット弁からパイロット圧が出力される一方のつま先操作ポートと他方のアタッチメント操作ペダルのかかと操作により他方のパイロット弁からパイロット圧が出力される他方のかかと操作ポートとが一方のシャトル弁の２つの入口ポートにそれぞれ連通され、
この一方のシャトル弁の出口ポートが、コントロール弁の一端側に連通され、
一方のアタッチメント操作ペダルのかかと操作により一方のパイロット弁からパイロット圧が出力される一方のかかと操作ポートと他方のアタッチメント操作ペダルのつま先操作により他方のパイロット弁からパイロット圧が出力される他方のつま先操作ポートとが他方のシャトル弁の２つの入口ポートにそれぞれ連通され、
この他方のシャトル弁の出口ポートが、コントロール弁の他端側に連通された
ことを特徴とする作業機械。
【請求項３】
係止機構は、
アタッチメント操作ペダルを介して一側および他側に固定配置されたピン挿入板と、
ピン挿入板にて、アタッチメント操作ペダルのつま先操作およびかかと操作を不可能とする係止位置に穿設された係止用ピン挿入孔と、
ピン挿入板にて、アタッチメント操作ペダルのつま先操作を可能とし、かかと操作を不可能とする半係止位置に穿設された半係止用ピン挿入孔と、
ピン挿入板にて、アタッチメント操作ペダルのつま先操作およびかかと操作を可能とする係止解除位置に穿設された係止解除用ピン挿入孔と、
係止用ピン挿入孔、半係止用ピン挿入孔および係止解除用ピン挿入孔の１つを選択して挿入される係止ピンと
を具備したことを特徴とする請求項１または２記載の作業機械。
【発明の詳細な説明】
【技術分野】
【０００１】
本発明は、解体、圧砕などに用いられる作業用アタッチメントを備えた作業機械に関する。
【背景技術】
【０００２】
図７に示される作業機械１は、油圧ショベルにおけるバケットと交換して装着された作業用アタッチメント２により家屋やビルを解体する作業に適するようにした解体仕様機である。このような作業機械１では、通常はオペレータの足元に設置されたペダル型のパイロット弁（以下、リモコンバルブという）を操作することで、作業用アタッチメント２を開閉する流体圧アクチュエータ３の動作を制御する。
【０００３】
例えば、図８に示されるように、ペダル型リモコンバルブ４は通常１つであり、片足を用いてペダルを前後もしくは左右に動かすことで、このペダル型リモコンバルブ４は、パイロットポンプ５からパイロット１次圧ライン６を経て供給されたパイロット１次圧を制御して、２つのポート7a，7bからパイロット２次圧ライン8a，8bを経てコントロール弁９に、制御されたパイロット２次圧を出力することで、このコントロール弁９を方向制御およびストローク制御し、このコントロール弁９によりメインポンプ10から作業用アタッチメント２の流体圧アクチュエータ３に供給される作動流体を方向制御および流量制御し、作業用アタッチメント２の開閉動作などを制御する。
【０００４】
このペダル型リモコンバルブ４の操作では、例えばペダルを前後に動かす場合、足のつま先と、かかとを前後方向に踏みかえることを連続的に行うので、足の負担が大きく、足が早期に疲労してしまう可能性がある。
【０００５】
機種によっては運転席内にスペース的な余裕があり、図９に示されるように、左右両足で操作できるように２つのペダル型リモコンバルブ4a，4bを取付けることができる場合があり、その場合は、パイロットポンプ５からパイロット１次圧ライン６を経て供給されたパイロット１次圧を各ペダル型リモコンバルブ4a，4bで制御して、それぞれのポート7a，7bからパイロット２次圧ライン8a，8bを経てコントロール弁９に、制御されたパイロット２次圧を出力することで、このコントロール弁９を方向制御およびストローク制御し、このコントロール弁９によりメインポンプ10から作業用アタッチメント２の流体圧アクチュエータ３に供給される作動流体を方向制御および流量制御する。
【０００６】
したがって、これら１つペダル型（片足型）、２つペダル型（両足型）は同一車両上では両立しないため、機体購入時にいずれかを選択する必要があり、多くのユーザが利用するレンタル機の場合、図８に示された配管と図９に示された配管とを変更する配管工事が必要となり、配管工事に労力がかかる。
【０００７】
また、足の負担を減らすために、足踏みペダル式操作バルブ（ペダル型リモコンバルブ）と、操作レバーに設けられた手元操作用スイッチにより操作される電磁比例減圧弁（電磁式リモコンバルブ）とを併用することで、配管工事なしでペダル操作とボタン操作の両方が可能としたものがある（例えば、特許文献１参照）。
【特許文献１】特開２００４−３４０１８７号公報（第４−５頁、図１）
【発明の開示】
【発明が解決しようとする課題】
【０００８】
このように、従来の作業機械は、図８に示された配管と、図９に示された配管とを変更する配管工事が必要であり、また、特許文献１に記載された従来技術は、ペダル操作とボタン操作とが切換でなく併用であることから、これらを同時操作した場合、誤動作が生じる可能性がある。
【０００９】
本発明は、このような点に鑑みなされたもので、配管工事なしで片足による１つペダル操作と両足による２つペダル操作とを確実に切換えることが可能な作業機械を提供することを目的とする。
【課題を解決するための手段】
【００１０】
請求項１記載の発明は、機体と、この機体に装着された腕状の作業装置と、この作業装置の先端に装着された作業用アタッチメントと、機体に設けられた左右の足のつま先およびかかとによりそれぞれ操作可能な左足用のアタッチメント操作ペダルおよび右足用のアタッチメント操作ペダルと、これらのアタッチメント操作ペダルにより操作される左足用のパイロット弁および右足用のパイロット弁と、これらのパイロット弁によりパイロット操作され作業用アタッチメントの動作を制御するコントロール弁と、左右のアタッチメント操作ペダルのつま先操作およびかかと操作を不可能とする係止状態、つま先操作を可能とし、かかと操作を不可能とする半係止状態、つま先操作およびかかと操作を可能とする係止解除状態を選択可能な係止機構とを具備し、一方のアタッチメント操作ペダルのつま先操作により一方のパイロット弁からパイロット圧が出力される一方のつま先操作ポートが、コントロール弁の一端側に連通され、一方のアタッチメント操作ペダルのかかと操作により一方のパイロット弁からパイロット圧が出力される一方のかかと操作ポートと他方のアタッチメント操作ペダルのつま先操作により他方のパイロット弁からパイロット圧が出力される他方のつま先操作ポートとがシャトル弁の２つの入口ポートにそれぞれ連通され、このシャトル弁の出口ポートが、コントロール弁の他端側に連通された作業機械である。
【００１１】
請求項２記載の発明は、機体と、この機体に装着された腕状の作業装置と、この作業装置の先端に装着された作業用アタッチメントと、機体に設けられた左右の足のつま先およびかかとによりそれぞれ操作可能な左足用のアタッチメント操作ペダルおよび右足用のアタッチメント操作ペダルと、これらのアタッチメント操作ペダルにより操作される左足用のパイロット弁および右足用のパイロット弁と、これらのパイロット弁によりパイロット操作され作業用アタッチメントの動作を制御するコントロール弁と、左右のアタッチメント操作ペダルのつま先操作およびかかと操作を不可能とする係止状態、つま先操作を可能とし、かかと操作を不可能とする半係止状態、つま先操作およびかかと操作を可能とする係止解除状態を選択可能な係止機構とを具備し、一方のアタッチメント操作ペダルのつま先操作により一方のパイロット弁からパイロット圧が出力される一方のつま先操作ポートと他方のアタッチメント操作ペダルのかかと操作により他方のパイロット弁からパイロット圧が出力される他方のかかと操作ポートとが一方のシャトル弁の２つの入口ポートにそれぞれ連通され、この一方のシャトル弁の出口ポートが、コントロール弁の一端側に連通され、一方のアタッチメント操作ペダルのかかと操作により一方のパイロット弁からパイロット圧が出力される一方のかかと操作ポートと他方のアタッチメント操作ペダルのつま先操作により他方のパイロット弁からパイロット圧が出力される他方のつま先操作ポートとが他方のシャトル弁の２つの入口ポートにそれぞれ連通され、この他方のシャトル弁の出口ポートが、コントロール弁の他端側に連通された作業機械である。
【００１２】
請求項３記載の発明は、請求項１または２記載の作業機械における係止機構が、アタッチメント操作ペダルを介して一側および他側に固定配置されたピン挿入板と、ピン挿入板にて、アタッチメント操作ペダルのつま先操作およびかかと操作を不可能とする係止位置に穿設された係止用ピン挿入孔と、ピン挿入板にて、アタッチメント操作ペダルのつま先操作を可能とし、かかと操作を不可能とする半係止位置に穿設された半係止用ピン挿入孔と、ピン挿入板にて、アタッチメント操作ペダルのつま先操作およびかかと操作を可能とする係止解除位置に穿設された係止解除用ピン挿入孔と、係止用ピン挿入孔、半係止用ピン挿入孔および係止解除用ピン挿入孔の１つを選択して挿入される係止ピンとを具備したものである。
【発明の効果】
【００１３】
請求項１記載の発明によれば、係止機構により、左右のアタッチメント操作ペダルのつま先操作およびかかと操作を不可能とする係止状態、つま先操作を可能とし、かかと操作を不可能とする半係止状態、つま先操作およびかかと操作を可能とする係止解除状態を選択可能とするとともに、一方のパイロット弁のつま先操作ポートが、コントロール弁の一端側に連通され、一方のパイロット弁のかかと操作ポートと他方のパイロット弁のつま先操作ポートとがシャトル弁の２つの入口ポートにそれぞれ連通され、このシャトル弁の出口ポートが、コントロール弁の他端側に連通されたので、一方のペダルを係止解除状態にするとともに、他方のペダルを係止状態とすることで、一方の片足のみのつま先およびかかとで作業用アタッチメントを操作でき、また、左右両ペダルを半係止状態とすることで、左右両足の各つま先で作業用アタッチメントを操作でき、これにより、配管工事なしで片足による１つペダル操作と、両足による２つペダル操作とを確実に切換えることができ、安価にかつ素早く、ユーザの要望に応じたペダル操作を設定できる。
【００１４】
請求項２記載の発明によれば、係止機構により、左右のアタッチメント操作ペダルのつま先操作およびかかと操作を不可能とする係止状態、つま先操作を可能とし、かかと操作を不可能とする半係止状態、つま先操作およびかかと操作を可能とする係止解除状態を選択可能とするとともに、一方のパイロット弁のつま先操作ポートと他方のパイロット弁のかかと操作ポートとが一方のシャトル弁の２つの入口ポートにそれぞれ連通され、この一方のシャトル弁の出口ポートが、コントロール弁の一端側に連通され、一方のパイロット弁のかかと操作ポートと他方のパイロット弁のつま先操作ポートとが他方のシャトル弁の２つの入口ポートにそれぞれ連通され、この他方のシャトル弁の出口ポートが、コントロール弁の他端側に連通されたので、(1)一方のペダルを係止解除状態にするとともに、他方のペダルを係止状態にすることで、一方の片足のみのつま先およびかかとにより作業用アタッチメントを操作でき、(2)一方のペダルを係止状態とするとともに、他方のペダルを係止解除状態とすることで、他方の片足のみのつま先およびかかとにより作業用アタッチメントを操作でき、(3)左右両ペダルを半係止状態とすることで、右右両足のつま先により作業用アタッチメントを操作でき、(4)左右両ペダルを係止解除状態とすることで、左右両足のかかとでも作業用アタッチメントを操作でき、これにより、配管工事なしで片足による１つペダル操作と両足による２つペダル操作とを確実に切換えることができ、安価にかつ素早く、ユーザの要望に応じたペダル操作を設定できる。
【００１５】
請求項３記載の発明によれば、ピン挿入板の係止用ピン挿入孔、半係止用ピン挿入孔および係止解除用ピン挿入孔の中で係止ピンを抜き差し操作することにより、片足による１つペダル操作と両足による２つペダル操作との切換を確実にできる。
【発明を実施するための最良の形態】
【００１６】
以下、本発明を図１乃至図５に示された一実施の形態、図６に示された他の実施の形態を参照しながら詳細に説明する。なお、図７に示された作業機械１は、本発明の説明でも用いる。
【００１７】
図７に示されるように、機体11が、履帯式の下部走行体12と、この下部走行12体に対し旋回可能に設けられた上部旋回体13とにより形成され、この上部旋回体13に、オペレータを保護するキャブ14および腕状の作業装置15が装着されている。
【００１８】
この作動装置15は、上部旋回体13にブーム15bmがブームシリンダ15bmcにより上下方向回動可能に軸支され、ブーム15bmの先端にアーム15amがアームシリンダ15amcにより回動可能に軸支され、アーム15amの先端にバケットに替えた作業用アタッチメント２が、バケットシリンダ15bkcにより回動可能に軸支されて装着されている。
【００１９】
この作業用アタッチメント２は、家屋解体用、スクラップ処理用、産業廃棄物処理用、石積み作業用または林業用のアタッチメントであり、本体部16に１対の把持体17が開閉自在に軸支され、機体11から供給される流体圧（油圧）により伸縮動作される流体圧アクチュエータ３と必要であれば把持体間連動機構（図示せず）により、１対の把持体17が開閉駆動される。ここでは、流体圧アクチュエータ３の伸び動作により、把持体17は閉じ動作するものとする。
【００２０】
図２に示されるように、キャブ14内では、機体11の一部を構成するプラットホーム21上にオペレータ着座用のシート22が設けられ、このシート22の左右両側にそれぞれコンソールボックス23が配置され、これらのコンソールボックス23の前端部上にそれぞれ作業用操作レバー24が突出され、また、シート22の前方に左右１対の走行用ペダル25およびレバー26がそれぞれ配置され、これらの走行用ペダル25を挟んで左右両側にそれぞれフットレスト27が配置され、これらのフットレスト27のさらに左右外側に左足用のアタッチメント操作ペダル28Lおよび右足用のアタッチメント操作ペダル28Rがそれぞれ配置されている。
【００２１】
左足用のアタッチメント操作ペダル28Lおよび右足用のアタッチメント操作ペダル28Rは、それぞれ、図４に示されるようにプラットホーム21に取付板31を介してボルト32により固定されたパイロット弁33の上部に、揺動支軸34により揺動自在に軸支され、これらの揺動支軸34を支点に、つま先操作部35およびかかと操作部36を、左右の足のつま先およびかかとによりそれぞれ揺動操作可能に設けられている。各アタッチメント操作ペダル28L，28Rの下側には取付板37が一体に設けられ、この取付板37とパイロット弁33の本体部との間には蛇腹カバー38が設けられている。
【００２２】
図１に示されるように、これらのアタッチメント操作ペダル28L，28Rにより操作される左足用のパイロット弁33Lおよび右足用のパイロット弁33Rは、作業用アタッチメント２の流体圧アクチュエータ３の動作を制御するコントロール弁41をパイロット操作する。このコントロール弁41は、メインポンプ42から流体圧アクチュエータ３に供給され流体圧アクチュエータ３からタンク43に戻される作動流体を方向制御および流量制御するスプールを備えている。
【００２３】
左足用のパイロット弁33Lおよび右足用のパイロット弁33Rは、つま先により操作される減圧弁44と、かかとにより操作される減圧弁45とをそれぞれ備え、これらの減圧弁44，45のパイロット１次圧ライン46には、パイロットポンプ47が接続され、戻りライン48はタンク43に連通されている。
【００２４】
右足用のアタッチメント操作ペダル28Rのつま先操作により右足用のパイロット弁33Rからパイロット圧が出力される一方のつま先操作ポート51は、パイロットライン52を経てコントロール弁41のスプール一端側に連通されている。
【００２５】
一方、右足用のアタッチメント操作ペダル28Rのかかと操作により右足用のパイロット弁33Rからパイロット圧が出力される一方のかかと操作ポート53は、パイロットライン54を経て、シャトル弁55の一方の入口ポート55iRに連通され、また、左足用のアタッチメント操作ペダル28Lのつま先操作により左足用のパイロット弁33Lからパイロット圧が出力される他方のつま先操作ポート56は、パイロットライン57を経て、シャトル弁55の他方の入口ポート55iLに連通され、このシャトル弁55の出口ポート55oは、パイロットライン58を経て、コントロール弁41のスプール他端側に連通されている。
【００２６】
左足用のアタッチメント操作ペダル28Lのかかと操作により左足用のパイロット弁33Lからパイロット圧が出力される他方のかかと操作ポート59は、タンク43に連通されている。
【００２７】
図３および図４に示されるように、左右のアタッチメント操作ペダル28L，28Rのつま先操作部35の下側には、これらのアタッチメント操作ペダル28L，28Rを係脱可能に係止する係止機構61がそれぞれ設置されている。これらの係止機構61は、左右のアタッチメント操作ペダル28L，28Rのつま先操作およびかかと操作を不可能とする係止状態、つま先操作を可能とし、かかと操作を不可能とする半係止状態、つま先操作およびかかと操作を可能とする係止解除状態を選択可能なものである。
【００２８】
左右の係止機構61は、板金により凹型に折曲形成されたピン挿入板62が、アタッチメント操作ペダル28L，28Rの各つま先操作部35の下側にて、プラットホーム21にそれぞれ固定配置され、これらのピン挿入板62にて、アタッチメント操作ペダル28L，28Rのつま先操作およびかかと操作を不可能とする係止位置に係止用ピン挿入孔Ａが穿設され、また、ピン挿入板62にて、アタッチメント操作ペダル28L，28Rのつま先操作を可能とし、かかと操作を不可能とする半係止位置に半係止用ピン挿入孔Ｂが穿設され、さらに、ピン挿入板62にて、アタッチメント操作ペダル28L，28Rのつま先操作およびかかと操作を可能とする係止解除位置に係止解除用ピン挿入孔Ｃが穿設されている。
【００２９】
これらの係止用ピン挿入孔Ａ、半係止用ピン挿入孔Ｂおよび係止解除用ピン挿入孔Ｃの中から選択された１つに、ピン挿入板62にチェーン63で繋がれた係止ピン64が挿入されている。
【００３０】
左右のアタッチメント操作ペダル28L，28Rの取付板37には、係止用ピン挿入孔Ａに挿入された係止ピン64が挿通される係止孔ａがそれぞれ穿設され、また、半係止用ピン挿入孔Ｂに挿入された係止ピン64が挿通される長穴ｂが穿設されている。
【００３１】
図５は、作業機械のアタッチメント操作説明プレート65を示し、アタッチメント操作ペダル28Rのみによる右側１ペダル操作、左右両側のアタッチメント操作ペダル28L，28Rによる左右２ペダル操作、左右両側のアタッチメント操作ペダル28L，28Rを固定するペダルロックと、左右のアタッチメント操作ペダル28L，28Rにおける係止ピン64の挿入位置（ロックピン位置）との関係を表わすとともに、つま先操作およびかかと操作と、作業用アタッチメント２がグラップルの場合のグラップル開閉方向との関係を表わしている。
【００３２】
次に、この図１乃至図５に示された実施の形態の作用効果を説明する。
【００３３】
アタッチメント操作ペダル28L，28Rは、ピン挿入板62の係止用ピン挿入孔Ａおよび取付板37の係止孔ａ（以下、これらを「Ａ位置」という）に係止ピン64を挿入すると、ペダル動作をロックすることができるので、作業用アタッチメント２が設置されていない場合（例えばバケットを装着する等）に対応できる。
【００３４】
アタッチメント操作ペダル28L，28Rは、ピン挿入板62の半係止用ピン挿入孔Ｂおよび取付板37の長穴ｂ（以下、これらを「Ｂ位置」という）に係止ピン64を挿入すると、左右両側ペダルのつま先操作で、アタッチメント開閉操作が可能となる。
【００３５】
アタッチメント操作ペダル28L，28Rは、ピン挿入板62の係止解除用ピン挿入孔Ｃ（以下、これらを「Ｃ位置」という）に係止ピン64を挿入すると、片側ペダルのつま先操作およびかかと操作で、アタッチメント開閉操作が可能となる。
【００３６】
そこで、右足用のＣ位置に係止ピン64を挿入するとともに、左足用のＡ位置に係止ピン64を挿入することで、右足のみのつま先操作およびかかと操作で作業用アタッチメント２を開閉操作できる。すなわち、右足のつま先操作で、つま先操作ポート51からパイロットライン52を経てコントロール弁41のスプール一端側に出力されたパイロット圧により、コントロール弁41を右室に切換えて、流体圧アクチュエータ３のロッド側に作動流体を供給して作業用アタッチメント２を開き、また、右足のかかと操作で、かかと操作ポート53からシャトル弁55およびパイロットライン58を経てコントロール弁41のスプール他端側に出力されたパイロット圧により、コントロール弁41を左室に切換えて、流体圧アクチュエータ３のヘッド側に作動流体を供給して作業用アタッチメント２を閉じることができる。すなわち、右足つま先操作を「アタッチメント開き」、右足かかと操作を「アタッチメント閉じ」と設定することができる。
【００３７】
また、左右両側の各Ｂ位置に係止ピン64を挿入することで、左右両足の各つま先操作で作業用アタッチメント２を開閉操作できる。すなわち、右足のつま先操作で、つま先操作ポート51からパイロットライン52を経てコントロール弁41のスプール一端側に出力されたパイロット圧により、コントロール弁41を右室に切換えて、流体圧アクチュエータ３のロッド側に作動流体を供給して作業用アタッチメント２を開き、また、左足のつま先操作で、つま先操作ポート56からシャトル弁55およびパイロットライン58を経てコントロール弁41のスプール他端側に出力されたパイロット圧により、コントロール弁41を左室に切換えて、流体圧アクチュエータ３のヘッド側に作動流体を供給して作業用アタッチメント２を閉じることができる。すなわち、右足つま先操作を「アタッチメント開き」、左足つま先操作を「アタッチメント閉じ」と設定することができる。
【００３８】
これにより、配管工事なしで片足による１つペダル操作と、両足による２つペダル操作とを確実に切換えることができ、安価にかつ素早く、ユーザの要望に応じたペダル操作を設定できる。
【００３９】
次に、図６は、他の実施の形態を示す。なお、図２乃至図４に示されたペダル配置および係止機構61は、および図７に示された作業機械１は、図６に示された実施の形態にも適用される。
【００４０】
すなわち、図７に示された機体11と、この機体11に装着された腕状の作業装置15と、この作業装置15の先端に装着された作業用アタッチメント２と、図２乃至図４に示された機体11に設けられた左右の足のつま先およびかかとによりそれぞれ操作可能な左足用のアタッチメント操作ペダル28Lおよび右足用のアタッチメント操作ペダル28Rと、左右のアタッチメント操作ペダル28L，28Rのつま先操作およびかかと操作を不可能とする係止状態、つま先操作を可能とし、かかと操作を不可能とする半係止状態、つま先操作およびかかと操作を可能とする係止解除状態を選択可能な係止機構61とを具備した点は、同様であるから、詳細な説明は省略する。
【００４１】
図６に示されるように、左足用のアタッチメント操作ペダル28Lにより操作される左足用のパイロット弁33Lおよび右足用のアタッチメント操作ペダル28Rにより操作される右足用のパイロット弁33Rは、コントロール弁41をパイロット操作するもので、このコントロール弁41は、メインポンプ42から作業用アタッチメント２の流体圧アクチュエータ３に供給され流体圧アクチュエータ３からタンク43に戻される作動流体を方向制御および流量制御するスプールを備え、流体圧アクチュエータ３の動作を制御する。
【００４２】
左足用のパイロット弁33Lおよび右足用のパイロット弁33Rは、つま先により操作される減圧弁44と、かかとにより操作される減圧弁45とをそれぞれ備え、これらの減圧弁44，45のパイロット１次圧ライン46には、パイロットポンプ47が接続され、戻りライン48はタンク43に連通されている。
【００４３】
右足用のアタッチメント操作ペダル28Rのつま先操作により右足用のパイロット弁33Rからパイロット圧が出力される一方のつま先操作ポート51は、パイロットライン71を経て、一方のシャトル弁55aの一方の入口ポート55aRに連通され、また、左足用のアタッチメント操作ペダル28Lのかかと操作により左足用のパイロット弁33Lからパイロット圧が出力される他方のかかと操作ポート59は、パイロットライン72を経て、一方のシャトル弁55aの他方の入口ポート55aLに連通され、このシャトル弁55aの出口ポート55aoは、パイロットライン52を経てコントロール弁41のスプール一端側に連通されている。
【００４４】
一方、右足用のアタッチメント操作ペダル28Rのかかと操作により右足用のパイロット弁33Rからパイロット圧が出力される一方のかかと操作ポート53は、パイロットライン54を経て、他方のシャトル弁55bの一方の入口ポート55bRに連通され、また、左足用のアタッチメント操作ペダル28Lのつま先操作により左足用のパイロット弁33Lからパイロット圧が出力される他方のつま先操作ポート56は、パイロットライン57を経て、他方のシャトル弁55bの他方の入口ポート55bLに連通され、このシャトル弁55bの出口ポート55boは、パイロットライン58を経てコントロール弁41のスプール他端側に連通されている。
【００４５】
要するに、前述の図１に示された実施の形態は、左足かかと操作ができないものであるが、図６に示された実施の形態は、右足のつま先操作ポート51と左足のかかと操作ポート59とを、図１に示されたシャトル弁55とは異なる、もう１つのシャトル弁55aで接続して、左足のかかと操作を「アタッチメント開き」としたものである。
【００４６】
次に、図６に示された実施の形態の作用効果を説明する。
【００４７】
アタッチメント操作ペダル28L，28Rは、Ａ位置に係止ピン64を挿入すると、ペダル動作をロックすることができるので、作業用アタッチメント２が設置されていない場合（例えばバケットを装着する等）に対応でき、Ｂ位置に係止ピン64を挿入すると、左右両側ペダルのつま先操作で、アタッチメント開閉操作が可能となり、Ｃ位置に係止ピン64を挿入すると、片側ペダルのつま先操作およびかかと操作で、アタッチメント開閉操作が可能となる。
【００４８】
そこで、(1)右足用のＣ位置に係止ピン64を挿入するとともに、左足用のＡ位置に係止ピン64を挿入することで、右足のみのつま先操作およびかかと操作で作業用アタッチメント２を開閉操作できる。すなわち、右足のつま先操作で、つま先操作ポート51からシャトル弁55aおよびパイロットライン52を経てコントロール弁41のスプール一端側に出力されたパイロット圧により、コントロール弁41を右室に切換えて、流体圧アクチュエータ３のロッド側に作動流体を供給して作業用アタッチメント２を開き、また、右足のかかと操作で、かかと操作ポート53からシャトル弁55bおよびパイロットライン58を経てコントロール弁41のスプール他端側に出力されたパイロット圧により、コントロール弁41を左室に切換えて、流体圧アクチュエータ３のヘッド側に作動流体を供給して作業用アタッチメント２を閉じることができる。すなわち、右足つま先操作を「アタッチメント開き」、右足かかと操作を「アタッチメント閉じ」と設定することができる。
【００４９】
(2)右足用のＡ位置に係止ピン64を挿入するとともに、左足用のＣ位置に係止ピン64を挿入することで、左足のみのつま先操作およびかかと操作で作業用アタッチメント２を開閉操作できる。すなわち、左足のかかと操作で、かかと操作ポート59からシャトル弁55aおよびパイロットライン52を経てコントロール弁41のスプール一端側に出力されたパイロット圧により、コントロール弁41を右室に切換えて、流体圧アクチュエータ３のロッド側に作動流体を供給して作業用アタッチメント２を開き、また、左足のつま先操作で、つま先操作ポート56からシャトル弁55bおよびパイロットライン58を経てコントロール弁41のスプール他端側に出力されたパイロット圧により、コントロール弁41を左室に切換えて、流体圧アクチュエータ３のヘッド側に作動流体を供給して作業用アタッチメント２を閉じることができる。すなわち、左足かかと操作を「アタッチメント開き」、左足つま先操作を「アタッチメント閉じ」と設定することができる。
【００５０】
(3)左右両側のアタッチメント操作ペダル28L，28Rの各Ｂ位置に係止ピン64を挿入することで、右右両足の各つま先操作で作業用アタッチメント２を開閉操作できる。すなわち、右足のつま先操作で、つま先操作ポート51からシャトル弁55aおよびパイロットライン52を経てコントロール弁41のスプール一端側に出力されたパイロット圧により、コントロール弁41を右室に切換えて、流体圧アクチュエータ３のロッド側に作動流体を供給して作業用アタッチメント２を開き、また、左足のつま先操作で、つま先操作ポート56からシャトル弁55bおよびパイロットライン58を経てコントロール弁41のスプール他端側に出力されたパイロット圧により、コントロール弁41を左室に切換えて、流体圧アクチュエータ３のヘッド側に作動流体を供給して作業用アタッチメント２を閉じることができる。すなわち、右足つま先操作を「アタッチメント開き」、左足つま先操作を「アタッチメント閉じ」と設定することができる。
【００５１】
(4)左右両側のアタッチメント操作ペダル28L，28Rの各Ｃ位置に係止ピン64を挿入することで、左右両足のかかと操作でも作業用アタッチメント２を開閉操作できる。すなわち、左足のかかと操作で、かかと操作ポート59からシャトル弁55aおよびパイロットライン52を経てコントロール弁41のスプール一端側に出力されたパイロット圧により、コントロール弁41を右室に切換えて、流体圧アクチュエータ３のロッド側に作動流体を供給して作業用アタッチメント２を開き、また、右足のかかと操作で、かかと操作ポート53からシャトル弁55bおよびパイロットライン58を経てコントロール弁41のスプール他端側に出力されたパイロット圧により、コントロール弁41を左室に切換えて、流体圧アクチュエータ３のヘッド側に作動流体を供給して作業用アタッチメント２を閉じることができる。すなわち、左足かかと操作を「アタッチメント開き」、右足かかと操作を「アタッチメント閉じ」と設定することができる。
【００５２】
このように、左右２つのアタッチメント操作ペダル28L，28Rを、配管の組替えやロータリバルブ(選択弁)を用いることなく安価に併用が可能となり、しかも、左右両側の各アタッチメント操作ペダル28L，28Rに装着されている左右各１本ずつの係止ピン64の脱着により、片足による１つペダル操作と両足による２つペダル操作とを容易に切換えることが可能となり、安価にかつ素早く、ユーザの要望に合わせたペダル操作を設定できる。
【００５３】
なお、各実施の形態では、一方のつま先操作ポート51および一方のかかと操作ポート53は右足用のパイロット弁33Rに設け、他方のつま先操作ポート56および他方のかかと操作ポート59は左足用のパイロット弁33Lに設けたが、これらの関係は逆にしても良い。すなわち、一方のつま先操作ポート51および一方のかかと操作ポート53を左足用のパイロット弁33Lに設け、他方のつま先操作ポート56および他方のかかと操作ポート59は右足用のパイロット弁33Rに設けても良い。
【００５４】
本発明は、油圧ブレーカ、カッタ(ペンチャ)、グラップルなどの各種アタッチメントを装着した解体機、圧砕機、破砕機、切断機などに利用可能であり、このような各種作業機械において、ユーザの要望に応じて、配管工事なしで片足による１つペダル操作と両足による２つペダル操作とを確実に切換えることができる。
【図面の簡単な説明】
【００５５】
【図１】本発明に係る作業機械のアタッチメント操作回路の一実施の形態を示す流体圧回路図である。
【図２】同上作業機械のキャブ内を示す斜視図である。
【図３】同上作業機械のアタッチメント操作ペダルを示す斜視図である。
【図４】同上作業機械のアタッチメント操作ペダルを示す側面図である。
【図５】同上作業機械のアタッチメント操作説明プレートを示す正面図である。
【図６】本発明に係る作業機械のアタッチメント操作回路の他の実施の形態を示す流体圧回路図である。
【図７】同上作業機械の側面図である。
【図８】従来の作業機械のアタッチメント操作回路の一例を示す流体圧回路図である。
【図９】従来の作業機械のアタッチメント操作回路の他の例を示す流体圧回路図である。
【符号の説明】
【００５６】
２    作業用アタッチメント
11    機体
15    作業装置
28L   左足用のアタッチメント操作ペダル
28R   右足用のアタッチメント操作ペダル
33L   左足用のパイロット弁
33R   右足用のパイロット弁
41    コントロール弁
51    一方のつま先操作ポート
53    一方のかかと操作ポート
55    シャトル弁
55iL，55iR    入口ポート
55o   出口ポート
55a   一方のシャトル弁
55aL，55aR    入口ポート
55ao   出口ポート
55b   他方のシャトル弁
55bL，55bR    入口ポート
55bo   出口ポート
56    他方のつま先操作ポート
59    他方のかかと操作ポート
61    係止機構
62    ピン挿入板
64    係止ピン
Ａ    係止用ピン挿入孔
Ｂ    半係止用ピン挿入孔
Ｃ    係止解除用ピン挿入孔
【図１】
0004528210.tif 000002
【図２】
0004528210.tif 000003
【図３】
0004528210.tif 000004
【図４】
0004528210.tif 000005
【図５】
0004528210.tif 000006
【図６】
0004528210.tif 000007
【図７】
0004528210.tif 000008
【図８】
0004528210.tif 000009
【図９】
0004528210.tif 000010